(57)【要約】【課題】耐震性能が高い天井構造および支持部材を提供する。【解決手段】天井枠２０と横架材１０と支持部材３０とを備えている。横架材１０は、複数の長尺材１１，１１を互いに沿わせて形成されている。横架材１０を構成する複数の長尺材１１，１１のうち少なくとも一本の長尺材１１は、互いに対向する壁３，３のうち一方の壁３に固定され、一方の壁３に固定された長尺材１１を除く他の長尺材１１のうち少なくとも一本の長尺材１１は、一方の壁３に対向する他方の壁３に固定されており、一方の壁３に固定された長尺材１１と、これを除く他の長尺材１１とは、長手方向にスライド可能となっている。支持部材３０は、門型形状を呈し、横架材１０の上部と側部に沿って配置されており、支持部材３０の下端部には、天井下地材（天井下地受部材２４）が取り付けられており、支持部材３０と天井下地材とで横架材１０を囲っていることを特徴とする。【選択図】図４
2020147939.tif 000002
【特許請求の範囲】
【請求項１】
天井下地材を組み付けてなる天井枠と、互いに対向する壁の間に架け渡された横架材と、前記横架材に前記天井枠を支持させる支持部材とを備えており、
前記横架材は、複数の長尺材を互いに沿わせて形成されており、
前記横架材を構成する前記複数の長尺材のうち少なくとも一本の長尺材は、互いに対向する前記壁のうち一方の前記壁に固定され、
一方の前記壁に固定された前記長尺材を除く他の前記長尺材のうち少なくとも一本の長尺材は、一方の前記壁に対向する他方の前記壁に固定されており、
一方の前記壁に固定された前記長尺材と、これを除く他の前記長尺材とは、長手方向にスライド可能となっており、
前記支持部材は、門型形状を呈し、前記横架材の上部と側部に沿って配置されており、
前記支持部材の下端部には、前記天井下地材が取り付けられており、
前記支持部材と前記天井下地材とで前記横架材を囲っている
ことを特徴とする天井構造。
【請求項２】
前記横架材は、前記壁に沿って配置されたランナーを介して前記壁に固定されている
ことを特徴とする請求項１に記載の天井構造。
【請求項３】
複数の長尺材を互いに沿わせて形成された横架材に、天井下地材を支持させる支持部材であって、
前記横架材の上部と側部に沿った門型形状の横架材固定部と、前記横架材固定部の下側に位置する天井下地材固定部とを備え、
前記横架材固定部は、前記横架材に載置される水平板部と、前記横架材の両端部からそれぞれ垂下する垂下板部とを備え、
前記天井下地材固定部は、前記横架材固定部の前記垂下板部の下端部に連続する一対の固定フランジ部を備え、
前記一対の固定フランジ部間に前記天井下地材が架け渡される
ことを特徴とする支持部材。
【発明の詳細な説明】
【技術分野】
【０００１】
本発明は、天井構造および支持部材に関する。
【背景技術】
【０００２】
互いに対向する壁の距離が比較的小さい居室や廊下等において、天井下地材を格子状に組み付けてなる天井枠を支持する構造として、互いに対向する壁間に架け渡された横架材と、前記横架材に接続される支持金具とを備えた構造が知られている（特許文献１参照）。前記構造においては、横架材の端部は、壁の表面あるいは壁の下地材の側面に接続されており、支持金具は、横架材に天井枠を支持させる金具である。このような構造によれば、吊りボルトを設けることなく、壁間に架け渡された横架材に接続された支持金具で天井枠を支持できる。したがって、横架材の上方に横方向に広がる空間が確保されるので、設備機器の配管ダクトや配線を天井の構成部材と干渉させずに、任意の場所に取り付けることができる。
【先行技術文献】
【特許文献】
【０００３】
【特許文献１】特開２０１６−１４２００８号公報
【発明の概要】
【発明が解決しようとする課題】
【０００４】
ところで、近年の地震の増加によって、耐震性能の要求が強くなっている。そこで、本発明は、従来よりも耐震性能を高めることができる天井構造および支持部材を提供することを課題とする。
【課題を解決するための手段】
【０００５】
前記課題を解決するための本発明は、天井下地材を組み付けてなる天井枠と、互いに対向する壁の間に架け渡された横架材と、前記横架材に前記天井枠を支持させる支持部材とを備えた天井構造である。前記横架材は、複数の長尺材を互いに沿わせて形成されている。前記横架材を構成する前記複数の長尺材のうち少なくとも一本の長尺材は、互いに対向する前記壁のうち一方の前記壁に固定され、一方の前記壁に固定された前記長尺材を除く他の前記長尺材のうち少なくとも一本の長尺材は、一方の前記壁に対向する他方の前記壁に固定されている。一方の前記壁に固定された前記長尺材と、これを除く他の前記長尺材とは、長手方向にスライド可能となっている。前記支持部材は、門型形状を呈し、前記横架材の上部と側部に沿って配置されており、前記支持部材の下端部には、前記天井下地材が取り付けられており、前記支持部材と前記天井下地材とで前記横架材を囲っていることを特徴とする。
【０００６】
このような構成の天井構造によれば、複数の長尺材を沿わせて、支持部材と天井下地材とで囲って横架材を構成したことで、曲げ応力に対して大きい断面で対抗できる横架材を得ることができる。さらに、地震時に壁が揺れて、対向する壁間の距離が大きくなっても、横架材が壁に追従してスライドするので、壁と横架材の固定部が破損するのを防止できる。よって、耐震性能を高めることができる。
【０００７】
さらに、本発明の天井構造においては、前記横架材は、前記壁に沿って配置されたランナーを介して前記壁に固定されているものが好ましい。このような構成によれば、横架材の壁への固定が行い易くなる。
【０００８】
前記課題を解決するための第二の本発明は、複数の長尺材を互いに沿わせて形成された横架材に、天井下地材を支持させる支持部材である。前記横架材の上部と側部に沿った門型形状の横架材固定部と、前記横架材固定部の下側に位置する天井下地材固定部とを備え、前記横架材固定部は、前記横架材に載置される水平板部と、前記横架材の両端部からそれぞれ垂下する垂下板部とを備え、前記天井下地材固定部は、前記横架材固定部の前記垂下板部の下端部に連続する一対の固定フランジ部を備え、前記一対の固定フランジ部間に前記天井下地材が架け渡されることを特徴とする。
【０００９】
このような構成の支持部材によれば、複数の長尺材を一体的に固定することができるので、曲げ応力に対して大きい断面で対抗できる横架材を形成することができる。よって、天井構造の耐震性能を高めることができる。
【発明の効果】
【００１０】
本発明によれば、耐震性能を高めることができる、といった優れた効果を発揮する。
【図面の簡単な説明】
【００１１】
【図１】本発明の実施形態に係る天井構造を示した平面図である。
【図２】本発明の実施形態に係る天井構造を示した図であって、（ａ）は正面図、（ｂ）は要部拡大正面図である。
【図３】本発明の実施形態に係る天井構造を示した要部拡大側面図である。
【図４】本発明の実施形態に係る天井構造を示した要部斜視図である。
【図５】支持装置を介して天井板支持部材を天井下地材受部材に支持させた状態を示した図であって、（ａ）は平面図、（ｂ）は側面図、（ｃ）は正面図である。
【図６】本発明の実施形態に係る支持部材を示した斜視図である。
【図７】本発明の実施形態に係る支持部材を示した図であって、（ａ）は平面図、（ｂ）は側面図、（ｃ）は正面図である。
【図８】支持装置を示した分解斜視図である。
【図９】支持装置を示した斜視図である。
【図１０】支持装置の第一部材を示した図であって、（ａ）は平面図、（ｂ）は側面図、（ｃ）は正面図である。
【図１１】支持装置の第二部材を示した図であって、（ａ）は平面図、（ｂ）は側面図、（ｃ）は正面図である。
【発明を実施するための形態】
【００１２】
本発明の実施形態に係る天井構造および支持部材について図面を参照して詳細に説明する。本実施形態に係る天井構造は、廊下等の長方形形状の空間の天井に設けられるものである。本実施形態では、天井下地材が、廊下の長手方向に延在する天井下地受部材と、当該天井下地受け部材に直交する天井板支持部材とを備えて構成されている場合を例に挙げて説明する。なお、本実施形態において、廊下長手方向に沿って見た方向を正面とし、廊下幅方向に沿って見た方向を側面とする。
【００１３】
図１乃至図３に示すように、かかる天井構造１は、横架材１０と、天井枠２０と、支持部材３０と、支持装置５０とを備えている。支持部材３０は、天井枠２０を横架材１０に支持させるものである。天井枠２０は、天井下地材を組み付けてなる。本実施形態では、天井枠２０は、天井板支持部材２３と天井下地受部材２４とからなる。支持装置５０は、天井板支持部材２３を天井下地受部材２４に支持させるものである。
【００１４】
横架材１０は、廊下２の幅方向両側の壁３，３間に架け渡されている。横架材１０は、壁３に対して直交した複数（本実施形態では２本）の長尺材１１，１１にて構成されており、水平方向に延在している。横架材１０は、上階の床スラブの下面などの上部構造体４（図２の（ａ）参照）と所定の間隔をあけて配置されている。横架材１０と上部構造体４との隙間は、各種設備の配管ダクトや配線が通過可能な寸法となっている。長尺材１１は、たとえば軽量鉄骨製の断面コ字状のスタッドからなる。長尺材１１，１１は、断面コ字状の側部開口部同士が互いに対向して沿うように組み合わされている。２本の長尺材１１，１１は、同じ長さであり、支持部材３０によって側方両側から押さえられ、互いに当接して並設されている。２本の長尺材１１，１１は、長手方向に沿って互いにスライド可能になっている。なお、図１中、符号「６」は、天井埋込型の照明機器を示す。横架材１０は、照明機器６の上方を通過している。本実施形態では、天井埋込型の照明機器６が横架材１０の下側に設けられているが、設けない場合もあるのは勿論である。その場合は、照明機器６に代えて、天井枠２０と天井板２１が設けられる。
【００１５】
図１，図２および図４に示すように、横架材１０の端部は、壁３の表面に接続されている。具体的には、壁３の表面には、断面コ字状（図２の（ｂ）および図５参照）のランナー５が廊下２の長手方向に沿って水平に延在して設けられており、このランナー５で横架材１０の端部を上下から挟むことで、横架材１０が支持されている。ランナー５は壁３の表面にビス止めされている。ランナー５は、廊下両側の壁３，３に設けられており、横架材１０の両端部をそれぞれ支持している。
【００１６】
図４に示すように、横架材を構成する複数の長尺材１１，１１のうち少なくとも一本の長尺材１１は、互いに対向する壁３，３のうち一方の壁３に固定され、一方の壁３に固定された長尺材１１を除く他の長尺材１１のうち少なくとも一本は、一方の壁３に対向する他方の壁３に固定されている。本実施形態では、長尺材１１は２本であるので、一方の長尺材１１の一端部が、一方の壁３に取り付けられたランナー５に固定され、他方の長尺材１１の他端部が、他方の壁３に取り付けられたランナー５に固定されている。長尺材１１は、ランナー５にビスＶを介して固定されている。
【００１７】
図２，図３および図５に示すように、天井枠２０は、天井板２１を支持するものであって、天井下地材を組み付けて構成されている。天井下地材は、天井板２１を支持する天井板支持部材２３と、天井板支持部材２３を支持する天井下地受部材２４とで構成されている。天井板２１の端部には、壁３にビス止めされた廻り縁２１ａ（図２の（ｂ）参照）が設けられている。
【００１８】
図５および図９に示すように、天井板支持部材２３は、ウエブ部２５ａと上フランジ部２５ｂと下フランジ部２５ｃとを有した断面Ｈ形形状を呈しており、例えば軽量鉄骨製のＨバーにて構成されている。なお、天井板支持部材２３は、Ｈ形を横向きにした状態で使用されている。天井板支持部材２３は、廊下２の幅方向に延在している。下フランジ部２５ｃは、天井板２１の外周側面に形成された凹溝２２に挿入される。下フランジ部２５ｃの厚さ寸法は、凹溝２２の幅寸法と同等か、凹溝２２の幅寸法よりも僅かに大きく形成されており、下フランジ部２５ｃは、凹溝２２に嵌合されている。つまり、下フランジ部２５ｃは、天井板２１の係止部を構成している。一方、上フランジ部２５ｂは、後記する支持装置５０の切欠部６２，７３に挿入されて係止される。
【００１９】
天井下地受部材２４は、縦板部２６ａと、縦板部２６ａの上下からそれぞれ張り出す横板部２６ｂ，２６ｃとを有した断面Ｃ形形状を呈しており、例えば軽量鉄骨製のチャンネル材にて構成されている。天井下地受部材２４は、廊下２の長手方向に延在している。
【００２０】
図６および図７に示すように、支持部材３０は、横架材１０に天井枠２０を支持させるものである。支持部材３０は、天井枠２０の天井下地受部材２４を支持する。支持部材３０は、スチール製の板材を折り曲げ加工して形成されており、門型形状を呈している。支持部材３０は、横架材固定部３１と天井下地材固定部３２とを備えている。
【００２１】
横架材固定部３１は、横架材１０の上部と側部に沿って配置され、横架材１０に掛け止められるとともに、横架材１０を両側から挟む門型形状を呈している。横架材固定部３１は、水平板部３３と垂下板部３４，３４とを備えている。水平板部３３は、横架材１０の上に載置される部分であって、横架材１０の幅方向（廊下２の長手方向）に延在している。水平板部３３の長さ寸法は、横架材１０の幅寸法と同等である。垂下板部３４，３４は、横架材１０の側面に両側から当接する。垂下板部３４，３４は、水平板部３３の両端部からそれぞれ垂下しており、水平板部３３の端部に連続して直角に屈曲している。
【００２２】
天井下地材固定部３２は、天井下地受部材２４を支持する部分であって、固定フランジ部を備えている。固定フランジ部は、側面支持板部３５と底部支持板部３６とからなる。天井下地材固定部３２は、断面Ｌ字形状を呈している。側面支持板部３５は、横架材固定部３１の垂下板部３４の下部に連続して設けられている。側面支持板部３５は、側面支持板部３５から直角に屈曲しており、廊下２の長手方向に沿って広がっている。側面支持板部３５は、天井下地受部材２４の縦板部２６ａに背面から当接する。側面支持板部３５には、縦板部２６ａを固定するためのビスＶが貫通するビス孔２７が形成されている。ビス孔２７は、縦板部２６ａの高さ方向中間部に相当する位置に形成されている。底部支持板部３６は、天井下地受部材２４の下側の横板部２６ｃを下側から支える。底部支持板部３６は、側面支持板部３５の下端に連続して、斜め上方に張り出して屈曲している。底部支持板部３６には、横板部２６ｃの先端を係止する係止部２８が形成されている。係止部２８は、底部支持板部３６の板材を矩形状に切り起こして形成されている。
【００２３】
図４に示すように、支持部材３０は、横架材１０の両端部の二か所に設けられており、廊下２の幅方向両端部で、天井下地受部材２４を支持する。支持部材３０は、横架材１０の両端部を両側から挟むことで、長尺材１１，１１を互いに当接させた状態で支持している。長尺材１１，１１同士は固定されておらず、長尺材１１，１１は、その長手方向に互いにスライド可能となっている。
【００２４】
図８および図９に示すように、支持装置５０は、断面Ｈ形形状の天井板支持部材２３を天井下地受部材２４に支持させるものであって、第一部材５１と第二部材５２とを備えている。支持装置５０は、第一部材５１と第二部材５２とを介して、天井板支持部材２３と天井下地受部材２４のそれぞれを挟持する。
【００２５】
図１０にも示すように、第一部材５１は、天井下地受部材２４のＣ形形状の外側から天井下地受部材に係止される部位であって、係止板部５３と第一縦板当接部５４と第一ウエブ当接部５５とを備えている。また、第一部材５１は、水平板部５６ａと垂下板部５６ｂと屈曲板部５６ｃとを備えている。水平板部５６ａは、第一部材５１の上部に位置している。垂下板部５６ｂは、水平板部５６ａの端部に連続して下方に直角に屈曲している。水平板部５６ａと垂下板部５６ｂとで、第一部材５１は断面逆Ｌ字形状を呈している。屈曲板部５６ｃは、垂下板部５６ｂの下部に位置し、垂下板部５６ｂに連続して直角に屈曲している。
【００２６】
係止板部５３は、天井下地受部材２４の上側の横板部２６ｂの上に載置される板状部位であって、水平板部５６ａにて構成されている。水平板部５６ａの先端部（垂下板部５６ｂとは逆側の端部）には、下方に垂れ下がるリップ部５７が形成されている。リップ部５７は、天井下地受部材２４の上側の横板部２６ｂの先端に掛け止められる。リップ部５７は、水平板部５６ａの廊下長手方向の両端部にそれぞれ形成されている。両端のリップ部５７，５７の間には、第二部材５２を係止するための係止片５８が、変形可能に設けられている。係止片５８は、平面視Ｔ字形状を呈しており、中央の突出部分５８ａが、水平板部５６ａの先端部に切り欠かれた凹部５９内に配置されている。突出部分５８ａの先端部は、先端に向かうに連れて斜め上方に傾斜して立ち上がっているため、水平板部５６ａの表面よりも上方に突出している。係止片５８の突出部分５８ａの両側の張出部分５８ｂ，５８ｂは、水平板部５６ａの凹部５９の両外側の先端部に傾動可能に接続されている。Ｔ字の基端部を押すことで、水平板部５６ａとの接続部分を中心に係止片５８が回動し、突出部分５８ａが上下動する。突出部分５８ａが上昇すると、第二部材５２に係止されるようになっている。
【００２７】
第一縦板当接部５４は、天井下地受部材２４の縦板部２６ａの外側面に当接する部位であって、垂下板部５６ｂの上部にて構成されている。第一縦板当接部５４には、縦板部２６ａを固定するためのビスＶが貫通するビス孔６０が形成されている。ビス孔６０は、縦板部２６ａの高さ方向中間部に相当する位置に形成されている。
【００２８】
第一ウエブ当接部５５は、天井板支持部材２３のウエブ部２５ａの一方の面に当接する板状部位であって、屈曲板部５６ｃにて構成されている。第一ウエブ当接部５５は、垂下板部５６ｂの下部に形成された天井板支持部材固定部６１に設けられている。天井板支持部材固定部６１は、天井板支持部材２３の上フランジ部２５ｂが挿入される切欠部６２を備え、その下側に屈曲板部５６ｃが設けられている。屈曲板部５６ｃは、切欠部６２の下側の板材を直角に屈曲して形成されている。屈曲板部５６ｃには、ウエブ部２５ａを固定するためのビスＶが貫通するビス孔６３が形成されている。
【００２９】
図８，図９および図１１に示すように、第二部材５２は、天井下地受部材２４のＣ形形状の内側から天井下地受部材２４に当接する部位であって、第二縦板当接部６４と第二ウエブ当接部６５とを備えている。また、第二部材５２は、溝型板部６６と屈曲板部６７とを備えている。溝型板部６６は、平面視Ｕ字状を呈し、垂直に延在している。溝型板部６６は、底板部６８ａと側板部６８ｂ，６８ｂとリップ部６８ｃ，６８ｃとを備えている。リップ部６８ｃは、側板部６８ｂの先端に連続して外側に広がっている。屈曲板部６７は、底板部６８ａの下部に位置し、底板部６８ａに連続して直角に屈曲している。
【００３０】
第二縦板当接部６４は、天井下地受部材２４の縦板部２６ａの内側面に当接する部位であって、溝型板部６６の底板部６８ａの上部にて構成されている。第二縦板当接部６４には、縦板部２６ａを固定するためのビスＶが貫通するビス孔６９が形成されている。ビス孔６９は、縦板部２６ａの高さ方向中間部に相当する位置に形成されている。溝型板部６６の上部には、天井下地受部材２４の上側の横板部２６ｂが挿入される上部切欠部７０が形成されている。上部切欠部７０は、底板部６８ａから両側の側板部６８ｂ，６８ｂに連続して形成されている。側板部６８ｂにおける上部切欠部７０の奥行寸法は、横板部２６ｂの張出し寸法と同等である。底板部６８ａにおける上部切欠部７０の高さ寸法は、横板部２６ｂと、第一部材５１の水平板部５６ａとを合わせた厚さ寸法より大きい寸法（横板部２６ｂおよび水平板部５６ａが通過可能な寸法）となっている。側板部６８ｂにおける上部切欠部７０の高さ寸法は、底板部６８ａにおける上部切欠部７０の高さ寸法より小さく、且つ横板部２６ｂが通過可能な寸法となっている。
【００３１】
第二ウエブ当接部６５は、天井板支持部材２３のウエブ部２５ａの他方の面に当接する板状部位であって、屈曲板部６７にて構成されている。第二ウエブ当接部６５は、溝型板部６６の底板部６８ａの下部に形成された、天井板支持部材固定部７２に設けられている。天井板支持部材固定部７２は、天井板支持部材２３の上フランジ部２５ｂが挿入される切欠部７３を備え、その下側に屈曲板部６７が設けられている。屈曲板部６７は、切欠部７３の下側の板材を直角に屈曲して形成されている。屈曲板部６７には、ウエブ部２５ａを固定するためのビスＶが貫通するビス孔７４が形成されている。
【００３２】
次に前記構成の天井構造１を施工する手順を説明しながら、かかる天井構造１および支持装置５０の作用効果を説明する。
【００３３】
かかる天井構造１を構築するには、まず、図２および図４に示すように、廊下２の互いに対向する壁面上部に、ランナー５を配設しビス止め（図２の（ｂ）参照）する。ランナー５は、廊下２の長手方向に沿って延在し、断面コ字状の開口部が対向するランナー５の開口部と向き合うように取り付ける。
【００３４】
その後、横架材１０を互いに対向するランナー５，５間に掛け渡す。横架材１０は、二本の長尺材１１の断面コ字状の側部開口部同士が互いに対向するように沿わせた状態で掛け渡す。そして、二本の長尺材１１，１１のうち一本の長尺材１１の一端部を、一方の壁３のランナー５にビス止めし、他方の長尺材１１の他端部を、他方の壁３のランナー５にビス止めする。
【００３５】
二本の長尺材１１，１１からなる横架材１０の両端部を、支持部材３０で囲って挟持する。具体的には、門型の横架材固定部３１で、横架材１０の上面および側面を囲うことで、二本の長尺材１１，１１を固定している。さらに、支持部材３０の下部の天井下地材固定部３２に、天井下地受部材２４を固定することで、天井下地受部材２４で横架材１０の下面を覆っている。これによって、二本の長尺材１１，１１は、上下左右の全周に渡って囲まれることになるので、互いに離間することがない。また、二本の長尺材１１は、互いに固定はされていないので、長手方向に沿ってスライド可能となっている。つまり、横架材１０は、二本の長尺材１１，１１がスライドすることで、伸長することとなる。
【００３６】
このような横架材１０によれば、地震時に壁３，３の距離が大きくなった際に、一方の長尺材１１は一方の壁３に固定された状態で引っ張られ、他方の長尺材１１は、他方の壁３に固定された状態で引っ張られる。そして、二本の長尺材１１，１１は互いにスライドする。このように、二本の長尺材１１，１１が壁３，３に追従してスライドすることで、横架材１０の固定部の破損を防止できるとともに、横架材１０の壁３からの離脱を防止できる。
【００３７】
また、横架材１０は、二本の長尺材１１，１１を沿わせて、支持部材３０と天井下地受部材２４とで囲って構成したことで、曲げ応力に対して大きい断面で対抗できる横架材を得ることができる。よって、天井構造１の耐震性能を高めることができる。さらに、長尺材１１は、断面コ字状のスタッドにて構成されており、二本の長尺材１１，１１を、側部開口部同士が互いに対向するように組み合わせているので、横架材１０が筒型形状となり、剛性を大きくすることができる。したがって、天井構造１の耐震性能をより一層高めることができる。
【００３８】
さらに、本実施形態では、ランナー５を介して、横架材１０を壁３に固定しているので、横架材１０の壁３への固定作業が行い易くなる。
【００３９】
また、門型形状の支持部材３０を介して、二本の長尺材１１，１１を固定することで、複数の長尺材１１，１１を一体的に固定することができるので、曲げ応力に対して大きい断面で対抗できる横架材１０を形成することができる。
【００４０】
次に、支持装置５０を用いて、天井板支持部材２３を天井下地受部材２４に固定する。まず、図８に示すように、第一部材５１を、天井下地受部材２４に係止する。具体的には、第一部材５１を天井下地受部材２４の背面側（Ｃ形形状の外側）から移動させて、係止板部５３を上側の横板部２６ｂの上に載置する。このとき、リップ部５７が上側の横板部２６ｂの先端に掛け止められるので、第一部材５１は、天井下地受部材２４から離間することなく仮固定される。そして、天井板支持部材２３の上フランジ部２５ｂを、天井板支持部材固定部６１の切欠部６２に挿入して係止させる。
【００４１】
その後、図９に示すように、第二部材５２を、天井下地受部材２４の腹面側（Ｃ形形状の内側）から移動させて、第一部材５１に取り付ける。このとき、第一部材５１は、天井下地受部材２４に仮止めされ、天井板支持部材２３は、第一部材５１に係止されて仮止めされているので、第二部材５２の設置作業が行い易い。第二部材５２の設置作業としては、まず、第二部材５２の上部切欠部７０と下部切欠部７１に、天井下地受部材２４の上下の横板部２６ｂ，２６ｃを挿入させるようにする。上部切欠部７０には、上側の横板部２６ｂと係止板部５３とが挿入する。係止片５８の突出部分５８ａの先端部は、先端に向かうに連れて斜め上方に傾斜して立ち上がっているため、上部切欠部７０の上側の枠部７０ａは、突出部分５８ａを下方に押し下げつつ、突出部分５８ａの表面に摺動しながら移動する。枠部７０ａが奥まで入り込むと、突出部分５８ａの先端が水平板部５６ａの表面よりも上方に突出して、枠部７０ａの側面に係止される。これによって、第二部材５２が第一部材５１に固定される。さらに、係止片５８の外側部分をペンチ等の工具を用いて下方に下げることで、突出部分５８ａの先端部が上方に傾斜して飛び出すので、枠部７０ａを確実に係止することができる。なお、第二部材５２を第一部材５１から取り外す場合は、係止片５８の外側部分を上方に上げることで、突出部分５８ａの先端部を下方に押し下げれば、取外し作業を容易に行うことができる。
【００４２】
第二部材５２を第一部材５１に取り付けると、第二縦板当接部６４が天井下地受部材２４の縦板部２６ａの側面に当接する。これによって、縦板部２６ａが、第一部材５１の第一縦板当接部５４と第二部材５２の第二縦板当接部６４とで挟持される。そして、第一縦板当接部５４と縦板部２６ａと第二縦板当接部６４を、ビスＶによって固定する。
【００４３】
他方、第二部材５２の天井板支持部材固定部７２の切欠部７３に天井板支持部材２３の上フランジ部２５ｂが入り込むとともに、第二部材５２の第二ウエブ当接部６５が天井板支持部材２３のウエブ部２５ａの側面に当接する。これによって、ウエブ部２５ａが、第一部材５１の第一ウエブ当接部５５と第二部材５２の第二ウエブ当接部６５とで挟持される。そして、第一ウエブ当接部５５とウエブ部２５ａと第二ウエブ当接部６５とを、ビスＶによって固定する。
【００４４】
以上のように、支持装置５０を用いて、天井板支持部材２３と天井下地受部材２４を固定すれば、天井下地受部材２４の縦板部２６ａは、第一部材５１の第一縦板当接部５４と第二部材５２の第二縦板当接部６４とで挟持される。これによって、第一縦板当接部５４と縦板部２６ａと第二縦板当接部６４とが三枚重なって一体化されるので、天井下地受部材２４と支持装置５０との固定強度が大きくなるとともに、各部材が変形し難い。
【００４５】
他方、天井板支持部材２３のウエブ部２５ａは、第一部材５１の第一ウエブ当接部５５と第二部材５２の第二ウエブ当接部６５とで挟持される。これによって、第一ウエブ当接部５５とウエブ部２５ａと第二ウエブ当接部６５とが三枚重なって一体化されるので、天井板支持部材２３と支持装置５０との固定強度が大きくなるとともに、各部材が変形し難い。
【００４６】
したがって、天井下地受部材２４と天井板支持部材２３の固定強度が大きくなるので、天井構造１の耐震性能が高くなる。また、天井下地受部材２４と天井板支持部材２３の位置関係がずれることはない。これによって、天井板２１と天井板支持部材２３がずれ難くなる。
【００４７】
さらに、かかる支持装置５０においては、天井板支持部材２３を天井下地受部材２４に固定する際に、上フランジ部２５ｂを切欠部６２に挿入して係止することで、天井板支持部材２３を第一部材５１に仮固定して第二部材を取り付けることができる。したがって、施工が行い易い。
【００４８】
また、かかる支持装置５０においては、天井下地受部材２４の上側の横板部２６ｂと第一部材５１の係止板部５３が、第二部材５２の上部切欠部７０に挿入され、下側の横板部２６ｃが第二部材５２の下部切欠部７１に挿入される。つまり、第二部材５２が天井下地受部材２４に噛み合う構成となるので、支持装置５０と天井下地受部材２４との固定強度がより一層大きくなる。
【００４９】
さらに、かかる天井構造１では、天井板支持部材２３の下フランジ部２５ｃが、天井板２１の外周側面に形成された凹溝２２に嵌合されているので、天井板２１の固定強度が大きい。また、天井板支持部材２３は廊下幅方向に延在しており、廊下長手方向に揺れる地震が発生した際には、隣り合う天井板２１，２１が、下フランジ部２５ｃに直交する方向に揺れる。このとき、天井板２１，２１は、下フランジ部２５ｃを挟んで天井板支持部材２３と一体化されているので、天井板支持部材２３から外れ難い。廊下幅方向に揺れる地震が発生した際には、天井板２１と天井板支持部材２３は、ともに壁３に当接して揺れが抑えられるので、天井板２１は天井板支持部材２３から外れ難い。
【００５０】
以上、本発明を実施するための形態について説明したが、本発明は前記の実施形態に限定されず、本発明の趣旨を逸脱しない範囲で、材質、形状や大きさなど適宜設計変更が可能である。例えば、前記実施形態では、天井下地受部材２４は、横架材１０に対して直交して配置され、天井板支持部材２３は、横架材１０と平行に配置されているが、これに限定されるものではない。天井下地受部材２４を横架材１０に平行に配置して、天井板支持部材２３を横架材１０に対して直交して配置してもよい。この場合、支持部材の天井下地材固定部の形状が異なる。
【００５１】
また、前記実施形態では、支持部材３０は、横架材１０の両端部の二か所に設けたがこれに限定されるものではない。横架材１０が長い場合には、支持部材３０をさらに中間部に設けて三か所に設置してもよいし、さらに多数の支持部材３０を設置してもよい。
【符号の説明】
【００５２】
１      天井構造
２      廊下
３      壁
５      ランナー
１０    横架材
１１    長尺材
２０    天井枠
２１    天井板
２３    天井板支持部材
２４    天井下地受部材
２５ａ  ウエブ部
２５ｂ  上フランジ部
２５ｃ  下フランジ部
２６ａ  縦板部
２６ｂ  横板部
２６ｃ  横板部
３０    支持部材
３１    横架材固定部
３２    天井下地材固定部
３３    水平板部
３４    垂下板部
３５    側面支持板部（固定フランジ部）
３６    底部支持板部（固定フランジ部）
５０    支持装置
５１    第一部材
５２    第二部材
５３    係止板部
５４    第一縦板当接部
５５    第一ウエブ当接部
５６ａ  水平板部
５６ｂ  垂下板部
５６ｃ  屈曲板部
５８    係止片
５８ａ  突出部分
５８ｂ  張出部分
５９    凹部
６２    切欠部
６４    第二縦板当接部
６５    第二ウエブ当接部
６６    溝型板部
６７    屈曲板部
７０    上部切欠部
７１    下部切欠部
７３    切欠部
【図１】
2020147939.tif 000003
【図２】
2020147939.tif 000004
【図３】
2020147939.tif 000005
【図４】
2020147939.tif 000006
【図５】
2020147939.tif 000007
【図６】
2020147939.tif 000008
【図７】
2020147939.tif 000009
【図８】
2020147939.tif 000010
【図９】
2020147939.tif 000011
【図１０】
2020147939.tif 000012
【図１１】
2020147939.tif 000013